(57)【要約】【課題】排稈カッターの切断部下方に、左右一対のスピンナをカッタ軸に沿う排稈切断幅方向の略中央部に位置して相接して配置する形態では、切断量の多い株元部側の排出域が広くなり、隣接の未刈穀稈条への切断排稈の降りかかり量が多くなるため、この株元側に内側傾斜の傾斜案内板を設けて、株元切断排稈を内側へ流下案内させる構成がとられる。このような形態による場合は、株元切断排稈の偏倚集中落下を生じて、刈取跡地幅に対する均等拡散排出を行い難いものである。【解決手段】カッタ軸１方向に沿ってカッタディスク２を配置した排稈カッター３の切断部下方に、この切断部から落下される切断排稈を受けて回転により後側穂先側寄り方向へ向けて拡散放出する株元部位置下の株元スピンナ４と、この株元スピンナ４に対して適宜の排稈落下間隔５を有して穂先部位置下の穂先スピンナ６を設けたことを特徴とする排稈カッターの切断排出装置の構成とする。【選択図】図１
2008301729.tif 000002
【特許請求の範囲】
【請求項１】
カッタ軸（１）方向に沿ってカッタディスク（２）を配置した排稈カッター（３）の切断部下方に、この切断部から落下される切断排稈を受けて回転により後側穂先側寄り方向へ向けて拡散放出する株元部位置下の株元スピンナ（４）と、この株元スピンナ（４）に対して適宜の排稈落下間隔（５）を有して穂先部位置下の穂先スピンナ（６）を設けたことを特徴とする排稈カッターの切断排出装置。
【発明の詳細な説明】
【技術分野】
【０００１】
この発明は、コンバインの脱穀済排稈を切断排出する排稈カッターの切断排出装置に関する。
【背景技術】
【０００２】
排稈カッターの切断部下方に、左右一対のスピンナを、このカッタ軸方向幅の略中央部に相対に接近して配置する技術（例えば、特許文献１参照）が知られている。
【特許文献１】特開平３−１９８７１５号公報（第３頁、図１,図２）
【発明の開示】
【発明が解決しようとする課題】
【０００３】
排稈カッターの切断部下方に、左右一対のスピンナをカッタ軸に沿う排稈切断幅方向の略中央部に位置して相接して配置する形態では、切断量の多い株元部側の排出域が広くなり、隣接の未刈穀稈条への切断排稈の降りかかり量が多くなるため、この株元側に内側傾斜の傾斜案内板を設けて、株元切断排稈を内側へ流下案内させる構成がとられる。このような形態による場合は、株元切断排稈の偏倚集中落下を生じて、刈取跡地幅に対する均等拡散排出を行い難いものである。
【課題を解決するための手段】
【０００４】
請求項１に記載の発明は、カッタ軸１方向に沿ってカッタディスク２を配置した排稈カッター３の切断部下方に、この切断部から落下される切断排稈を受けて回転により後側穂先側寄り方向へ向けて拡散放出する株元部位置下の株元スピンナ４と、この株元スピンナ４に対して適宜の排稈落下間隔５を有して穂先部位置下の穂先スピンナ６を設けたことを特徴とする排稈カッターの切断排出装置の構成とする。カッタ軸１の回転によって切断部で切断される排稈は、穀稈の刈取跡幅にわたって落下排出される。このうち切断量の多い株元部側を落下排出される切断排稈は、この株元部側に偏倚された株元スピンナ４回転によって穂先側寄りへ向けて拡散放出される。又、この株元スピンナ４によって、穂先スピンナ６との間の落下間隔部５を落下される切断排稈をも同時に穂先側へ拡散して排出させる。これら株元スピンナ４によって穂先側へ拡散される切断排稈は、更に穂先側へ拡散排出されて、刈取跡地幅域に広く略均等層に拡散排出させる。
【発明の効果】
【０００５】
請求項１に記載の発明は、カッタ軸１下方の株元部位置に設けられる株元スピンナ４と、穂先スピンナ６の２個所に配置するスピンナ構成と、これらのスピンナ４,６間に形成の落下間隔５とによって、切断排稈の拡散排出構成を簡単、軽量化することができ、しかも、株元部側の偏倚集中排出や、隣接未刈稈への降りかかり等を防止することができ、全幅にわたって広く均等層に拡散排出させることができる。又、このような株元側切断排稈の拡散案内のための特別の傾斜案内板を不要として、構成を簡単化することができる。
【発明を実施するための最良の形態】
【０００６】
図例に基づいて、コンバインは、クローラ８走行形態の車体９上に脱穀装置１０、運転席１１、エンジン７、グレンタンク１２等を搭載し、この前側には６条刈等の多条刈形態の刈取装置１３を昇降可能に設け、後側の脱穀排稈を排送する排稈装置１４の後端に、この排稈を受けて短く切断する排稈カッター３を設けている。この排稈カッター３で切断された切断排稈を排出する株元スピンナ４及び穂先スピンナ６が、この排稈切断部の下方に一体的に構成される。刈取装置１３の左右外側には分草杆１６が設けられる。脱穀装置１０の運転席１１側とは反対側には、前後方向に沿うフィードチェン１７を設け、この前端には刈取装置１３で刈取られる殻稈を搬送する搬送装置１８をのぞませる。このフィードチェン１７の後側に、脱穀済排稈を穂先側寄り後方へ搬送して排稈カッター３へ供給する排稈装置１４を構成する。これら排稈装置１４は、排稈の株元部をフィードチェン１７側に向け、穂先部をグレンタンク１２側に向けた、略横向きの姿勢にして後方へ搬送する。又、この排稈カッター３は、この排稈の稈身方向と平行状の一対のカッタ軸１を有し、これらカッタ軸１に沿って所定間隔に切断用のカッタディスク２や、掻込ロータ等を配置して。これらカッタ軸１間の切断部に沿って供給される排稈を短く切断して後側下方へ排出することができる。
【０００７】
前記排稈カッター３は、箱形のカッタフレーム２１の内部にカッタ軸１の両端部を軸装し、このカッタ軸１の株元側には伝動ベルト２２を掛けわたして、前記脱穀排稈装置１４の一部から伝動される。カッタフレーム２１の上側には、切替軸１９周りに開閉可能の切替板２０を設け、この切替板２０を上方へ開くことによって排稈装置１４で送出される排稈を下側のカッターの切断部へ案内して切断させることができる。又、この切替板２０を下側へ回動してカッタフレーム２１上を閉鎖することによって、排稈装置１４により搬送される排稈をカッタフレーム２１の後側（ドロッパー）へ送出して、切断しない状態で刈取跡地に排出することができる。
【０００８】
排稈カッター３の下部には、スピンナ室２３の後側に案内カバー２５が前後回動可能に軸支２６される。切断排稈を排出するときはこの案内カバー２５を後側へ開くことができる。又、前記株元スピンナ４、及び穂先スピンナ６は、該スピンナ室２３内に配置されて、各々電動モータ２４を有して電動回転される。前記切断部で切断されて落下される切断排稈を受けて回転により後側の案内カバー２５側へ放出する。尚、株元スピンナ４及び穂先スピンナ６の回転駆動は、カッタ軸からの駆動をベベルギヤ等を介して伝動させることも可能である。
【０００９】
ここにおいて、この発明に係る排稈カッターは、カッタ軸１方向に沿ってカッタディスク２を配置した排稈カッター３の切断部下方に、この切断部から落下される切断排稈を受けて回転により後側穂先側寄り方向へ向けて拡散放出する株元部位置下の株元スピンナ４と、この株元スピンナ４に対して適宜の排稈落下間隔５を有して穂先部位置下の穂先スピンナ６を設けたことを特徴とする排稈カッターの切断排出装置の構成とする。
【００１０】
株元スピンナ４は、株元部側の室側壁２７に接近して設け、穂先スピンナ６をこのスピンナ室２３の室幅中央部よりも穂先部側寄りの位置に配置して、これら株元スピンナ４と穂先スピンナ６との間に切断排稈の一部が落下可能の落下間隔５を形成する。これら株元、穂先スピンナ４，６は、底部のモータ２４によって回転されるディスク２８の上面に放射方向の羽根板２９を設け、このディスク２８の回転面を後側下部へ傾斜させて、この回転によって上方から落下される切断排稈を受けて後方の案内カバー２５側へ放出することができる。これら各スピンナ４，６の回転方向は株元部側から穂先部側へ向けて後周りの回転Ａとなるように設定される。前記開閉可能の案内カバー２５の内側面には、横方向適宜間隔に案内板３０を配置し、各案内板３０の中央部を支持軸３１の周りに回動調節可能に設け、この案内板３０の角度を変更して株元部から穂先部側への切断排出の案内状態を調節することができる。これら各案内板３０の傾斜角度は、連動機構等で連動して行う形態に構成することも可能である。
【００１１】
コンバイン作業において、脱穀済排稈を切断排出するときは、切替板２０の上側へ回動して、排稈装置１４を排送される排稈をカッタフレーム２１内の切断部へ案内させる。カッタ軸１、及びカッタディスク２等の回転によって、切断部へ掻込まれる排稈は、短く切断される。この切断排稈の株元部側は下方の株元スピンナ４上面部に向けて落下され、この穂先部側は穂先スピンナ６上面部に向けて落下される。又、これら株元部と穂先部との間の中央稈身部は落下間隔５部に向けて落下される。このようにして落下される切断排稈は各スピンナ４，６等の回転、乃至起風力によって、穂先部寄り側下方、乃至後側案内カバー２５側へ放出される。このうち株元スピンナ４の回転による放出作用を受ける株元排稈は嵩が大きく、重くて放出力が強く働いて、穂先側への拡散排出によって、隣接未刈稈条Ｄへの降りかかりを少なくすると共に、穂先側の位置へ幅広く拡散させる。又、落下間隔５部や、穂先スピンナ６等を落下され、回転放出される穂部側排稈は比軽的落下量は少なく、軽いため穂先部側への拡散排出量も多く維持される。このため、株元部から穂先部にわたって刈取跡地幅域Ｂに排出される切断排稈の拡散排出層Ｃを略等しくする。又、このような切断排稈の拡散排出の構成は、株元スピンナ４をスピンナ室２３内の株元側の室側壁２７に接近させて、穂先スピンナ６との間に落下間隔５を形成する形態であるから、簡単化することができる。
【００１２】
前記排稈装置１４による排稈方向を切断部とドロッパー部とに切替える切替板２０の切替レバー３２を、切替軸１９の穂先側端に設けている。この切替レバー３２は、Ｌ字状形態に形成して、切替軸１９端のブラケット３３に対して、後側下部Ｅと横外側Ｆとに回動可能に設け、この切替レバー３２の基部にはトルクスプリング３４を有して、この切替レバー３２を常時横外側へ回動するように付勢している。又、この回動操作域にはストッパーを設けている。該ブラケット３３はカッタフレーム２１との間に圧縮スプリング３５を設けて、このスプリング３５に抗して切替板２０を下動回動させて、該スプリング３５を支点越えさせることによって、排稈排出（ドロッパー）位置Ｇに維持することができる。又、この切替レバー３２を切替板２０を上方のカッター（切断）位置Ｈに回動させることができる。このような切替操作を行う切替レバー３２は、通常時はトルクスプリング３４によって横外側Ｆに突出された状態にあるため、この切替レバー３２の突出把持部を上下に回動操作して、切替板２０の切替えを行うことができる。又、この切替レバー３２を後側下方Ｅへ回動させると、把持部を切替軸１９部から長く後方へ突出させることができ、操作アーム長を長くして、この状態で上方へ操作すると切替板２０をスプリング３５等に抗して軽快に切替回動することができる。又、この切替レバー３２は下側へ屈曲しているため、後方への突出を少なくして、危険性を少なくすることができる。又、この状態で横外側Ｆへ回動すると、横側への突出は長くなるが、後方への突出を少なくすることができる。
【図面の簡単な説明】
【００１３】
【図１】排稈カッター部の背面図。
【図２】その側面図。
【図３】コンバインの平面図。
【図４】切替板部の側面図。
【図５】その背面図。
【符号の説明】
【００１４】
１    カッタ軸
２    カッタディスク
３    排稈カッター
４    株元スピンナ
５    落下間隔
６    穂先スピンナ
【図１】
2008301729.tif 000003
【図２】
2008301729.tif 000004
【図３】
2008301729.tif 000005
【図４】
2008301729.tif 000006
【図５】
2008301729.tif 000007